(57)【要約】【課題】機器側コネクタと電線側コネクタとの嵌合の際の作業効率を向上させる。【解決手段】コネクタ１０は機器側コネクタ３０と、電線側コネクタ１１と、を備える。機器側コネクタ３０は、機器側フード部群３５と、機器側フード部３６にそれぞれ収容された機器側端子３７と、を有し、電線側コネクタ１１は、機器側端子３７にそれぞれ接続される電線側端子１７と、電線側端子１７をそれぞれ収容するとともに両コネクタ１１，３０の嵌合の際に機器側フード部３６内に個別に収容される端子収容部２０と、端子収容部２０を嵌合方向に対して交差する方向に移動可能に保持する収容ケース１２と、を有し、機器側フード部３６および端子収容部２０のいずれか一方に、端子収容部２０を、正規嵌合姿勢で対応する機器側フード部３６内に案内するガイド部３９が設けられている。【選択図】図２
2014203691.tif 000002
【特許請求の範囲】
【請求項１】
機器側に設けられた機器側コネクタと、電線側に設けられ前記機器側コネクタと嵌合する電線側コネクタと、を備えたコネクタであって、
前記機器側コネクタは、嵌合方向における前側に開口する機器側フード部を複数積層してなる機器側フード部群と、前記機器側フード部にそれぞれ収容された複数の機器側端子と、を有し、
前記電線側コネクタは、複数の電線側端子と、前記電線側端子をそれぞれ収容するとともに前記機器側コネクタと前記電線側コネクタとの嵌合の際に前記機器側フード部内に個別に収容される複数の端子収容部と、複数の前記端子収容部を嵌合方向に対して交差する方向に移動可能に保持する収容ケースと、を有し、
前記機器側フード部および前記端子収容部のいずれか一方に、前記端子収容部を、正規嵌合姿勢で、対応する前記機器側フード部内に案内するガイド部が設けられているコネクタ。
【請求項２】
前記ガイド部は前記機器側フード部の嵌合方向における前側の開口部に設けられる一方、
前記ガイド部に案内される被ガイド部が前記端子収容部を構成する壁部に設けられている請求項１に記載のコネクタ。
【請求項３】
前記被ガイド部は前記端子収容部の壁部から外側方向に突出するガイド突部である一方、
前記ガイド部は、前記機器側フード部の開口部において前記嵌合方向の前端側が先細り状に形成された傾斜面と、当該傾斜面から連なり前記ガイド突部を受け入れて前記端子収容部を前記機器側フード部内に案内するガイド溝とからなる請求項２に記載のコネクタ。
【請求項４】
複数の前記機器側フード部のうち、一端部に配される端部機器側フード部は、前記機器側端子を包囲する角筒状の包囲壁を有し、
前記端部機器側フード部以外の機器側フード部は、嵌合方向の前方から見た形状がＵ字状のＵ字壁を有する請求項１ないし請求項３のいずれか一項に記載のコネクタ。
【発明の詳細な説明】
【技術分野】
【０００１】
本発明は、コネクタに関する
【背景技術】
【０００２】
同じような構成の機器を複数並べて用いるような場合においては、これらの機器を積層配置して用いることがある。このような場合に、複数のコネクタも、同じ側に積層配置されることがある。
【０００３】
複数のコネクタを積層配置する際には積層公差を考慮してコネクタ接続を行う必要があるが、機器側に接続されたコネクタ（機器側コネクタ）において、積層公差を考慮してコネクタ接続を行うのは非常に困難であるという問題があった。
【０００４】
このような問題を解決するものとして、例えば、特許文献１には、機器側コネクタと接続される電線側コネクタにおいて、複数の端子収容部と、端子収容部を収容する収容ケースとの間にクリアランスを設けて、端子収容部が収容ケースに対して移動可能な構成とすることにより、機器側の製造公差を吸収可能とすることが提案されている。
【先行技術文献】
【特許文献】
【０００５】
【特許文献１】特開２０１２−２２６８８２号公報
【発明の概要】
【発明が解決しようとする課題】
【０００６】
しかしながら、上記特許文献１に記載のもののように、複数の端子収容部が収容ケースに対して移動可能な構成の電線側コネクタでは、機器側コネクタと嵌合させるときに、複数の端子収容部が嵌合方向に対して傾いていることがある。嵌合方向に対して傾いた状態の端子収容部を備える電線側コネクタを、機器側のコネクタと嵌合させようとすると、端子収容部と機器側コネクタのフード部とが干渉し、嵌合作業を行うことができない。
【０００７】
したがって、複数の端子収容部が収容ケースに対して移動可能な構成の電線側コネクタを備えるコネクタでは、嵌合作業に先立ち、複数の端子収容部と、対応する機器側コネクタの機器側フード部との位置合わせを行う必要があり、作業効率が悪いという問題があった。
【０００８】
本発明は上記のような事情に基づいて完成されたものであって、機器側コネクタと電線側コネクタとの嵌合の際の作業効率を向上させることを目的とする。
【課題を解決するための手段】
【０００９】
上記課題を解決するものとして、本発明は、機器側に設けられた機器側コネクタと、電線側に設けられ前記機器側コネクタと嵌合する電線側コネクタと、を備えたコネクタであって、前記機器側コネクタは、嵌合方向における前側に開口する機器側フード部を複数積層してなる機器側フード部群と、前記機器側フード部にそれぞれ収容された複数の機器側端子と、を有し、前記電線側コネクタは、複数の電線側端子と、前記電線側端子をそれぞれ収容するとともに前記機器側コネクタと前記電線側コネクタとの嵌合の際に前記機器側フード部内に個別に収容される複数の端子収容部と、複数の前記端子収容部を嵌合方向に対して交差する方向に移動可能に保持する収容ケースと、を有し、前記機器側フード部および前記端子収容部のいずれか一方に、前記端子収容部を、正規嵌合姿勢で、対応する前記機器側フード部内に案内するガイド部が設けられているコネクタである。
【００１０】
本発明においては、機器側コネクタのフード部（機器側フード部）および電線側コネクタの端子収容部のいずれか一方に、端子収容部を、正規嵌合姿勢で、対応する機器側フード部内に嵌合案内するガイド部が設けられている。
【００１１】
したがって、本発明においては、機器側コネクタと電線側コネクタとの嵌合作業の際に、端子収容部が嵌合方向に対して傾いていたとしても、機器側フード部および端子収容部のいずれか一方に設けられたガイド部により、端子収容部が正規嵌合姿勢とされた状態で、対応する機器側フード部内に嵌合案内される。その結果、本発明によれば、従来のものよりも、機器側コネクタと電線側コネクタとの嵌合の際の作業効率を向上させることができる。
【００１２】
本発明は、以下の構成としてもよい。
前記ガイド部は前記機器側フード部の嵌合方向における前側の開口部に設けられる一方、前記ガイド部に案内される被ガイド部が前記端子収容部を構成する壁部に設けられていてもよい。
このような構成とすると、端子収容部を備える電線側コネクタを嵌合させる作業を開始した直後に、端子収容部の壁部に設けた被ガイド部が機器側フード部の開口部に設けたガイド部により案内されて端子収容部が正規嵌合姿勢をとるので、作業効率をより向上させることができる。
【００１３】
前記被ガイド部は前記端子収容部の壁部から外側方向に突出するガイド突部である一方、前記ガイド部は、前記機器側フード部の開口部において前記嵌合方向の前端側が先細り状に形成された傾斜面と、当該傾斜面から連なり前記ガイド突部を受け入れて前記端子収容部を前記機器側フード部内に案内するガイド溝とからなる構成であってもよい。
このような構成とすると、端子収容部に設けたガイド突部が機器側フード部の開口部に設けた傾斜面に案内されることで、端子収容部が正規嵌合姿勢をとった後、端子収容部のガイド突部が機器側フード部のガイド溝に受け入れられて、端子収容部が機器側フード部内に案内されるので、嵌合作業の作業効率を確実に向上させることができる。
【００１４】
複数の前記機器側フード部のうち、一端部に配される端部機器側フード部は、前記機器側端子を包囲する角筒状の包囲壁を有し、前記端部機器側フード部以外の機器側フード部は、嵌合方向の前方から見た形状がＵ字状のＵ字壁を有する構成としてもよい。
このような構成においては、Ｕ字状をなすＵ字壁の開放端を、隣り合う機器側フード部の包囲壁側またはＵ字壁の開放端ではない壁側に配して、複数の機器側フード部を積層することで、機器側端子が包囲壁又はＵ字壁により包囲される。つまり、上記のような構成とすると、隣り合う機器側フード部を仕切る壁が１つになるので、機器側フード部群の積層寸法を、Ｕ字壁または包囲壁の厚み寸法の分、小さくすることができる。
【発明の効果】
【００１５】
本発明によれば、機器側コネクタと電線側コネクタとの嵌合の際の作業効率を向上させることができる。
【図面の簡単な説明】
【００１６】
【図１】実施形態１のコネクタの斜視図
【図２】嵌合前の機器側コネクタと電線側コネクタを示す斜視図
【図３】図２のＡ−Ａ線における断面図
【図４】電線側コネクタの斜視図
【図５】端子収容部の斜視図
【図６】機器側ケースを取り外した状態の機器側コネクタの斜視図
【図７】分割状態の機器側コネクタの斜視図
【図８】機器側フード部群の斜視図
【図９】図８とは相違する方向から示した機器側フード部群の斜視図
【図１０】端子収容部が図示左方向に傾いた電線側コネクタと機器側コネクタとを嵌合させる前の状態を示した模式図
【図１１】図示左方向に傾いた端子収容部と、機器側フード部の開口部とが当接した状態を示した模式図
【図１２】端子収容部が嵌合方向に沿って機器側フード部内に進入する様子を示した模式図
【図１３】電線側コネクタと機器側コネクタとが嵌合状態に至ったときの様子を示した模式図
【図１４】端子収容部が図示右方向に傾いた電線側コネクタと機器側コネクタとを嵌合させる前の状態を示す模式図
【図１５】図示右方向に傾いた端子収容部と、機器側フード部の開口部とが当接した状態を示した模式図
【発明を実施するための形態】
【００１７】
＜実施形態１＞
本発明の実施形態１を図１〜図１５によって説明する。本実施形態のコネクタ１０は、図１に示すように、互いに嵌合可能な電線側コネクタ１１と機器側コネクタ３０とを備えて構成されている。機器側コネクタ３０は、バッテリや基板などの扁平な機器を積層した機器側に設けられたコネクタである。一方、電線側コネクタ１１は、電圧検知線や電力線などの電線Ｗの端末に接続されたコネクタである。なお、以下においては両コネクタ１１，３０の嵌合方向を前後方向とし、互いの嵌合面側を前側として説明する。
【００１８】
（電線側コネクタ１１）
電線側コネクタ１１は、図３に示すように、４つ（複数）の端子収容部２０と、各端子収容部２０の内部に収容される電線側端子１７と、複数の端子収容部２０を収容する収容ケース１２と、を備える。
【００１９】
電線側端子１７は、電線Ｗの端末に接続される電線接続部１７Ａと、機器側端子３７と接続される端子接続部１７Ｂとを備える。端子接続部１７Ｂは、詳細は図示しないが、前後両端が開口する角筒状をなし、その内部には弾性接触片が形成されている。端子接続部１７Ｂの前端開口には、機器側端子３７が進入可能とされており、弾性接触片が撓み変形して機器側端子３７に弾性的に接触することにより、両端子１７，３７が導通可能に接続される。
【００２０】
（収容ケース１２）
収容ケース１２の前方は開口しており、図４に示す手前側の側面には、ロックアーム１３が設けられている。このロックアーム１３は、図４に示すように、収容ケース１２の後端から立ち上がった後、片持ち状をなして前方（図示下方）に延びる形態とされている。ロックアーム１３の前端部には、ロック孔１４が板厚方向に貫通して形成されている。ロックアーム１３の前端は、弾性変位可能に形成されている。
【００２１】
収容ケース１２の奥壁１５の縁部には、図４に示すように、複数の端子収容部２０を並んだ状態で保持可能な保持凹部１６Ａ，１６Ｂ，１６Ｃが凹設されている。
【００２２】
収容ケース１２の奥壁１５の縁部のうち、図４の右側に配される側面側の縁部に形成された第１保持凹部１６Ａは、図４における右端部に配される端子収容部２０の保持片２１およびリブ２５を受け入れ可能な形状である。
【００２３】
収容ケース１２の奥壁１５の縁部のうち、図４の左側に配される側面側の縁部に形成された第２保持凹部１６Ｂは、図４における左端部に配される端子収容部２０の保持腕部２２と保持片受け部２３を受け入れ可能な形状である。
【００２４】
収容ケース１２の奥壁１５の縁部のうち、端子収容部２０の並び方向に沿った側面側の縁部に形成された第３保持凹部１６Ｃは、端子収容部２０の保持腕部２２を受け入れ可能な形状である。
【００２５】
（端子収容部２０）
収容ケース１２内には嵌合方向と交差する方向に移動可能な状態で複数の端子収容部２０が保持されている。隣り合う端子収容部２０間および端子収容部２０と収容ケース１２との間には、図３に示すように、クリアランスＣが設けられており、これにより、各端子収容部２０は、嵌合方向と交差する方向に移動可能となっている。端子収容部２０が嵌合方向と交差する方向に移動することにより、機器側コネクタ３０における積層公差が吸収されるようになっている。
【００２６】
各端子収容部２０は、奥壁１５から前方に突出する形態をなしている。端子収容部２０の内部には、図３に示すように、電線側端子１７が収容可能とされる。端子収容部２０に電線側端子１７を挿入すると、電線側端子１７に設けたランス孔（図示せず）に端子収容部２０内に設けたランス（図示せず）が嵌り込んで電線側端子１７が抜け止めされる。
【００２７】
各端子収容部２０の後端部の図４における右側縁には、外側に突出する保持片２１が形成されており、端子収容部２０の図４における右側壁には保持片２１から連なり端子収容部２０の前後方向に延びるリブ２５が形成されている。
【００２８】
また、各端子収容部２０の後端部の図４における左側縁には、隣り合う端子収容部２０の保持片２１を受け入れ可能な保持片受け部２３が形成されるとともに、保持片受け部２３の両側から端子収容部２０の並び方向に略垂直な方向に突出し、保持凹部１６Ｂ，１６Ｃに受け入れられる一対の保持腕部２２が形成されている。端子収容部２０の保持片受け部２３の中央は、隣り合う端子収容部２０のリブ２５を受け入れ可能にリブ受け部２４が形成されている。
【００２９】
端子収容部２０の前端部には、図５に示すように先細り状の傾斜面２６が形成されており、機器側コネクタ３０との嵌合の際に機器側フード部３６内に円滑に進入可能となっている。
【００３０】
端子収容部２０を構成する壁部のうち、図５に示す奥側に配されている側壁２０Ａには、幅方向外側に張り出した形状のガイド突部２７（被ガイド部の一例）が設けられている。詳細は後述するが、ガイド突部２７が、機器側フード部３６の傾斜面３９（ガイド部の一例）と当接することにより端子収容部２０が正規嵌合姿勢に案内され、ガイド突部２７が機器側フード部３６のガイド溝４０内に進入することにより端子収容部２０が嵌合案内される。
【００３１】
複数の端子収容部２０は、図４に示すように、右側から順に収容ケース１２に収容されるようになっている。まず、右端に配される端子収容部２０については、その保持片２１を収容ケース１２の第１保持凹部１６Ａに対応させるとともに保持腕部２２を第３保持凹部１６Ｃに対応させた状態で、図４における上方から下方へ挿入する。
【００３２】
次に、右から２番目の端子収容部２０、右から３番目の端子収容部２０を順に挿入する。右から２番目の端子収容部２０および右から３番目の端子収容部２０については、その保持片２１を隣り合う端子収容部２０の保持片受け部２３に対応させるとともに保持腕部２２を第３保持凹部１６Ｃに対応させた状態で、図４における上から下方へ挿入する。
【００３３】
最後に左端の端子収容部２０を、その保持片２１を隣り合う端子収容部２０の保持片受け部２３に対応させるとともに保持腕部２２を第２保持凹部１６Ｂに対応させた状態で、図４における上から下方へ挿入すると、端子収容部２０の収容作業が完了する。
【００３４】
（機器側コネクタ３０）
機器側コネクタ３０は、機器毎に設けられた複数の分割コネクタ３２からなる。複数の分割コネクタ３２は積層された状態で機器側ケース３３によって一括して覆われている。機器側ケース３３のうち機器側フード部群３５を覆う部分は、機器側覆い部３３Ａとされる。
【００３５】
機器側覆い部３３Ａの図２における左側面には、図２に示すように、ロック突部３４が設けられている。電線側コネクタ１１の収容ケース１２内に機器側覆い部３３Ａを嵌合させると、図１に示すように、ロックアーム１３のロック孔１４にロック突部３４が嵌まり込んで係止することで両コネクタ１１，３０が嵌合状態に保持される。
【００３６】
分割コネクタ３２はそれぞれ機器側フード部３６および機器側端子３７を有している。本実施形態においては、分割コネクタ３２の機器側フード部３６を複数積層したものを機器側フード部群３５といい、複数の機器を積層したものを機器群３１という。機器側端子３７は、機器側フード部３６の奥壁から前方に突出して設けられている。
【００３７】
機器側フード部群３５を構成する複数の機器側フード部３６のうち、図８に示す奥側の端部に配される端部機器側フード部３６Ａは角筒状をなし、当該端部機器側フード部３６Ａ以外の機器側フード部３６Ｂは、嵌合方向における前方から見た形状がＵ字状である（図８および図９を参照）。いずれの機器側フード部３６も嵌合方向における前側（図８及び図９の上方）が開口している。本実施形態において、２種類の機器側フード部３６を区別するときには、端部に配されるとともに角筒状をなす機器側フード部を「端部機器側フード部３６Ａ」とし、端部機器側フード部３６Ａ以外のＵ字状の機器側フード部を「Ｕ字状の機器側フード部３６Ｂ」とし、両者を区別しないときは単に「機器側フード部３６」とする。
【００３８】
端部機器側フード部３６Ａは、図８に示すように、嵌合方向における前方から見た形状が四角形状をなす包囲壁３８を有している。包囲壁３８は機器側端子３７の四方を包囲している。端部機器側フード部３６Ａ以外のＵ字状の機器側フード部３６Ｂには、機器側端子３７の四方のうち、三方のみにＵ字壁４１が形成されており、一方はＵ字壁４１の形成されていない開放端４２とされる。
【００３９】
端部機器側フード部３６Ａの隣に配されるＵ字状の機器側フード部３６Ｂは、壁の形成されていない開放端４２を端部機器側フード部３６Ａの包囲壁３８側に配して積層される。残りのＵ字状の機器側フード部３６Ｂは、図７〜図９に示すように、Ｕ字壁４１の形成されていない開放端４２を隣接するＵ字状の機器側フード部３６Ｂの包囲壁３８，及びＵ字壁４１側に配して積層される。従って、隣り合う２つの機器側フード部３６，３６は１つの壁により仕切られていることとなり、四方に壁が形成された機器側フード部を積層するときよりも、包囲壁３８の厚み寸法およびＵ字壁４１の厚み寸法の分、小型化することができる。
【００４０】
端部機器側フード部３６Ａの包囲壁３８のうち、図８に示す左下側に配される壁の開口部には、上端部側（嵌合方向の前端側）が先細り状になるように、その開口端（図示上端）に２つの傾斜面３９が形成されている。また、包囲壁３８のうち、図８に示す左下側に配される壁には一方の傾斜面３９から連なり嵌合方向にのびるスリット状のガイド溝４０が形成されている。
【００４１】
Ｕ字状の機器側フード部３６ＢのＵ字壁４１のうち、図８に示す左下側に配される壁の開口部には上端部側（嵌合方向の前端側）が先細り状になるように、その開口端（図示上端）に２つの傾斜面３９が形成されている。また、Ｕ字壁４１のうち、図８に示す左下側に配される壁の一部は帯状に切り欠かれており、複数の機器側フード部３６を積層状態にすると、隣り合う機器側フード部３６，３６の包囲壁３８またはＵ字壁４１との間にスリット状のガイド溝４０が形成されるようになっている。
【００４２】
包囲壁３８の傾斜面３９およびガイド溝４０、ならびにＵ字壁４１の傾斜面３９およびガイド溝４０は、機器側コネクタ３０と電線側コネクタ１１との嵌合作業の際に、電線側コネクタ１１の端子収容部２０を正規嵌合姿勢にして、機器側コネクタ３０の機器側フード部３６内に案内するガイド部である。
【００４３】
（コネクタ１０の組み立て）
次に本実施形態のコネクタ１０の組み立て方法について説明する。収容ケース１２に、端から順に４つの端子収容部２０を収容した後、電線Ｗが接続された電線側端子１７を端子収容部２０に収容することにより、電線側コネクタ１１を作製しておく。
【００４４】
電線側コネクタ１１の組み立てと同時または、前後して、機器側コネクタ３０を構成する４つの分割コネクタ３２を積層する。図７に示すように、３つのＵ字状の機器側フード部３６Ｂを、その開放端４２に隣り合うＵ字状の機器側フード部３６ＢのＵ字壁４１が配されるように積層したのち、Ｕ字壁４１の開放端４２に端部機器側フード部３６Ａを配して、図６に示す積層状態の機器側コネクタ３０を作製する。このようにして作製した積層状態の機器側コネクタ３０に機器側ケース３３を被せ付ける（図２を参照）。
【００４５】
次に、機器側コネクタ３０と電線側コネクタ１１とを嵌合させる。電線側コネクタ１１の端子収容部２０が正規嵌合姿勢を取っている場合（図１２に示すような場合）には電線側コネクタ１１と機器側コネクタ３０との嵌合作業は、位置合わせ等をせずとも円滑に行うことができる。
【００４６】
本実施形態では、収容ケース１２内には嵌合方向と交差する方向に移動可能な状態で複数の端子収容部２０が保持されているため、例えば図１０に示すように、電線側コネクタ１１の端子収容部２０が図示左側に傾く姿勢を取ったり、図１４に示すように、、電線側コネクタ１１の端子収容部２０が図示右側に傾く姿勢を取る場合がある。
【００４７】
図１０に示すような場合に、電線側コネクタ１１と機器側コネクタ３０とを嵌合させると、端子収容部２０のガイド突部２７と、機器側コネクタ３０の機器側フード部３６の開口部上端とが当接する（図１１を参照）が、機器側フード部３６の開口部の上端と当接した端子収容部２０のガイド突部２７が、機器側フード部３６の開口部に形成された傾斜面３９に案内されることで、端子収容部２０は図１２に示すように正規嵌合姿勢に正される。端子収容部２０のガイド突部２７が傾斜面３９からガイド溝４０に嵌ると、端子収容部２０のガイド突部２７がガイド溝４０に沿って（嵌合方向に沿って）円滑に移動し、電線側コネクタ１１が嵌合案内される。電線側コネクタ１１と機器側コネクタ３０とが、図１３に示すように正規嵌合に至ると、電線側端子１７と機器側端子３７とが電気的に接続可能な状態となる。
【００４８】
図１４に示すような場合に、電線側コネクタ１１と機器側コネクタ３０とを嵌合させると、端子収容部２０のガイド突部２７と、機器側コネクタ３０の機器側フード部３６の開口部上端とが当接する（図１５を参照）が、機器側フード部３６の開口部の上端と当接した端子収容部２０のガイド突部２７が、機器側フード部３６の開口部に形成された傾斜面３９に案内されることで、端子収容部２０は図１２に示すように正規嵌合姿勢に正される。端子収容部２０のガイド突部２７が傾斜面３９からガイド溝４０に嵌ると、端子収容部２０のガイド突部２７がガイド溝４０に沿って（嵌合方向に沿って）円滑に移動し、電線側コネクタ１１が嵌合案内される。電線側コネクタ１１と機器側コネクタ３０とが、図１３に示すように正規嵌合に至ると、電線側端子１７と機器側端子３７とが電気的に接続可能な状態となる。
【００４９】
なお、本実施形態では、電線側端子１７と機器側端子３７とが正規嵌合に至ると、図１に示すように、電線側コネクタ１１の収容ケース１２に設けたロックアーム１３のロック孔１４に、機器側覆い部３３Ａのロック突部３４が嵌まり込んで係止され、両コネクタ１１，３０が嵌合状態で保持される。
【００５０】
（本実施形態の作用および効果）
次に本実施形態の作用および効果について説明する。
本実施形態においては、機器側コネクタ３０の機器側フード部３６に、正規嵌合姿勢で端子収容部２０を、対応する機器側フード部３６内に嵌合案内する傾斜面３９およびガイド溝４０（ガイド部）が設けられている。
したがって、本実施形態においては、機器側コネクタ３０と電線側コネクタ１１との嵌合作業の際に、端子収容部２０が嵌合方向に対して傾いていたとしても、傾斜面３９により、端子収容部２０が正規嵌合姿勢とされた状態で、対応する機器側フード部３６内に嵌合案内される。その結果、本実施形態によれば、従来のものよりも、機器側コネクタ３０と電線側コネクタ１１との嵌合の際の作業効率を向上させることができる。
【００５１】
特に本実施形態では、傾斜面３９が機器側フード部３６の嵌合方向における前側の開口部に設けられる一方、傾斜面３９に案内されるガイド突部２７が端子収容部２０を構成する壁部２０Ａに設けられているから、電線側コネクタ１１と機器側コネクタ３０とを嵌合させる作業を開始した直後に、端子収容部２０の壁部２０Ａに設けたガイド突部２７が機器側フード部３６の開口部に設けた傾斜面３９により案内されて端子収容部２０が正規嵌合姿勢をとるので、作業効率をより向上させることができる。
【００５２】
さらに本実施形態においては、被ガイド部が端子収容部２０の壁部から外側方向に突出するガイド突部２７である一方、ガイド部が、機器側フード部３６の開口部において嵌合方向の前端側が先細り状に形成された傾斜面３９と、当該傾斜面３９から連なりガイド突部２７を受け入れて端子収容部２０を機器側フード部３６内に案内するガイド溝４０とからなる構成である。
【００５３】
したがって本実施形態によれば、端子収容部２０に設けたガイド突部２７が機器側フード部３６の開口部に設けた傾斜面３９に案内されることで、端子収容部２０が正規嵌合姿勢をとった後、端子収容部２０のガイド突部２７が機器側フード部３６のガイド溝４０に受け入れられて、端子収容部２０が機器側フード部３６内に案内されるので、嵌合作業の作業効率を確実に向上させることができる。
【００５４】
また、本実施形態においては、複数の機器側フード部３６のうち、端部機器側フード部３６Ａは、機器側端子３７を包囲する角筒状の包囲壁３８を有し、端部機器側フード部３６Ａ以外のＵ字状の機器側フード部３６Ｂは、嵌合方向の前方から見た形状がＵ字状のＵ字壁４１を有する構成である。したがって、本実施形態によれば、Ｕ字状をなすＵ字壁４１の開放端４２を、隣り合う機器側フード部３６の包囲壁３８側またはＵ字壁４１の開放端４２ではない壁側に配して、複数の機器側フード部３６を積層することで、機器側端子３７が包囲壁３８又はＵ字壁４１により包囲されるので、隣り合う機器側フード部３６，３６を仕切る壁が１つになり、機器側フード部群３５の積層寸法を、Ｕ字壁４１または包囲壁３８の厚み寸法の分、小さくすることができる。また、機器側フード部３６がＵ字壁４１のものでは、Ｕ字壁４１の壁のうち開放端４２側の壁の一部を切り欠くだけで傾斜面３９とガイド溝４０を形成することができるので、ガイド部を形成するのが容易となる。
【００５５】
＜他の実施形態＞
本発明は上記記述及び図面によって説明した実施形態に限定されるものではなく、例えば次のような実施形態も本発明の技術的範囲に含まれる。
（１）上記実施形態では、ガイド部３９が機器側フード部３６に設けられる一方、被ガイド部２７が端子収容部２０を構成する壁部２０Ａに設けられている構成を示したが、ガイド部が端子収容部に設けられており、被ガイド部が機器側フード部設けられている構成であってもよい。
（２）上記実施形態では、機器側フード部３６の開口部において嵌合方向の前端側が先細り状に形成された２つの傾斜面３９と、一方の傾斜面３９から連なりガイド突部２７を受け入れて前記端子収容部２０を前記機器側フード部３６内に案内するガイド溝４０とからなるガイド部を示したが、本発明はこれに限定されない。例えば、ガイド部は一方の傾斜面のみからなる構成等であってもよい。
（３）上記実施形態では、端部機器側フード部３６Ａが機器側端子３７を包囲する角筒状の包囲壁３８を有し、端部機器側フード部３６Ａ以外の機器側フード部３６は、嵌合方向の前方から見た形状がＵ字状のＵ字壁４１を有するものを示したが、全ての機器側フード部の全てが角筒状の包囲壁３８を有するものであってもよい。
（４）上記実施形態では分割コネクタ３２を４つ積層してなる機器側コネクタ３０を示したが、分割コネクタの数は２〜３、５以上であってもよい。
【符号の説明】
【００５６】
１０…コネクタ
１１…電線側コネクタ
１２…収容ケース
１７…電線側端子
２０…端子収容部
２７…ガイド突部（被ガイド部）
３０…機器側コネクタ
３２…分割コネクタ
３３…機器側ケース
３５…機器側フード部群
３６…機器側フード部
３６Ａ…部機器側フード部
３６Ｂ…Ｕ字状の機器側フード部
３７…機器側端子
３８…包囲壁
３９…傾斜面（ガイド部）
４０…ガイド溝（ガイド部）
４１…Ｕ字壁
４２…開放端
Ｗ…電線
【図１】
2014203691.tif 000003
【図２】
2014203691.tif 000004
【図３】
2014203691.tif 000005
【図４】
2014203691.tif 000006
【図５】
2014203691.tif 000007
【図６】
2014203691.tif 000008
【図７】
2014203691.tif 000009
【図８】
2014203691.tif 000010
【図９】
2014203691.tif 000011
【図１０】
2014203691.tif 000012
【図１１】
2014203691.tif 000013
【図１２】
2014203691.tif 000014
【図１３】
2014203691.tif 000015
【図１４】
2014203691.tif 000016
【図１５】
2014203691.tif 000017